(57)【特許請求の範囲】
【請求項１】
ユーザが携帯電話装置について希望したモードの設定に関する情報が電気通信回線を介して処理装置に入力されると、前記処理装置は、前記モードの設定に対応するコマンドを含むデータを前記携帯電話装置に転送し、
前記携帯電話装置は、前記データを受信すると、予め記憶されている設定情報に基づいて、前記データに含まれているコマンドに対応するように白身のモードを設定可能に構成されており、
前記処理装置は、電気通信回線を介して前記帯電話装置によるアクセスがあった場合に、前記データを転送することを特徴とする携帯電話装置の設定サービスシステム。
【請求項２】
前記データは、前記モードの設定が完了したことをユーザに報知するデータを含むことを特徴とする請求項１記載の携帯電話装置の設定サービスシステム。
【請求項３】
前記データは、前記モードの設定を、ユーザ自身で行うための手順を示すデータを含むことを特徴とする請求項１または２に記載の携帯電話装置の設定サービスシステム。
【請求項４】
前記データは、前記処理置に所定期間保存され、
前記処理装置は、前記データが前記所定期間内は利用可能であることをユーザに伝達するためのメッセージデータを前記携帯電話装置に対して転送し、
前記携電話装置は、受信したメッセージデータを表示手段に表示させ、
前記処理装置は、前記携帯電話装置によってアクセスが行なわれた場合に前記データを再度転送することを特徴とする請求項１乃至３の何れかに記載の携帯電話装置の設定サービスシステム。
【請求項５】
前記処理装置には、前記モードの設定に関する情報の入力履歴が記録されており、
前記処理装置は、前記携帯電話装置によってアクセスが行われると、前記入力履歴の夫々に対応するデータの内の何れを転送するかをユーザに選択させるためのメッセージデータを前記携帯電話装置に転送し、当該携帯電話装置側より選択情報が送信されると、その選択情報に基づくテータを転送することを特徴とする請求項４記載の携帯電話装置の設定サービスシステム。
【請求項６】
前記モードの設定に関する情報は、アラーム設定に関するものであることを特徴とする請求項１乃至５の何れかに記載の携帯電話装置の設定サービスシステム。
【請求項７】
前記モードの設定に関する情報は、電子メールによって前記処理装置に入力されることを特徴とする請求項１乃至６の何れかに記載の携帯電話装置の設定サービスシステム。
【請求項８】
請求項１乃至７の何れかに記載のサービスシステムに使用されることを特徴とする携帯電話装置。
【請求項９】
ユーザが携帯電話装置について希望したモードの設定に関する情報が電気通信回線を介して処理装置に入力される情報入力ステップと、
前記処理装置が、前記モードの設定に対応するコマンドを含むデータを、前記電気通信回線を介して前記携帯電話装置に転送する転送ステップと、
前記携帯電話装置が、前記データを受信すると、予め記憶されている設定情報に基づいて、前記データに含まれているコマンドに対応するように白身のモードを設定するステップとを有し、
前記処理装置は、前記転送ステップにおいて、前記電気通信回線を介して前記携帯電話装置によるアクセスがあった場合にデータを転送することを特徴とする携帯電話装置の設定サービス提供方法。
【請求項１０】
ユーザが携帯電話装置について希望したモードの設定に関する情報に基づいて作成される、前記モードの設定に対応するコマンドを含むデータが識別情報と共に電気通信回線を介して処理装置に入力されるデータ入力ステップと、
前記携帯電話装置に前記処理装置をアクセスするための許可情報が網側より送信される許可情報送信ステップと、
前記携帯電話装置において、受信された前記許可情報が表示手段に表示される表示ステップと、
前記携帯電話装置が予め記憶保持しているアクセス情報に基づき前記処理壮置にアクセスして前記識別情報を送信した場合に、前記処理装置が前記識別情報と前記データ入力ステップにおいて入力された識別情報との照合を行う照合ステップと、
前記処理装置が前記照合ステップにおける照合結果が一致した場合に、前記データ入力ステップにおいて入力されたデータを前記帯電話装置に転送するデータ転送ステップと、
前記携帯電話装置が、前記データを受信すると、予め記憶されている設定情報に基づいて、前記データに含まれているコマンドに対応するように自身のモードを設定する設定ステップとを有することを特徴とする携帯電話装置の設定サービス提供方法。
【発明の詳細な説明】
【０００１】
【発明の属する技術分野】
本発明は、携帯電話装置の設定モードを変更するための携帯電話装置の設定サービスシステム，また、このサービスシステムに使用される携帯電話装置、並びに、携帯電話装置の設定モードを変更するための携帯電話装置の設定サービス提供方法に関する。
【０００２】
【発明が解決しようとする課題】
近年、携帯電話装置は高機能化または多機能化が進んでいるため、それに伴って、ユーザが携帯電話装置に対して行う設定の種類も増加している。その一方で、携帯電話装置には、サイズを小形化することについても要請があり、設定を行うために用いる操作キーの数を増やしたり、ディスプレイの画面を大きくすることは困難となっている。
【０００３】
その結果、設定を行うための操作系は多重化，階層化せざるを得ず、ユーザが携帯電話装置に所望するモードの設定などを行うには、操作が複雑で手間が掛かるようになっている。そして、マニュアルを読まなければ必要な設定を行うための操作ができなかったり、更に、高齢者のユーザにとっては、マニュアルを読むこと自体が困難な場合もある。
【０００４】
本発明は上記事情に鑑みてなされたものであり、その目的は、携帯電話装置のモードの設定を容易に行い得るようにする携帯電話装置の設定サービスシステム、及びこれらのサービスシステムに使用される携帯電話装置、また、携帯電話装置の設定サービス提供方法を提供することにある。
【０００７】
【課題を解決するための手段】
請求項１記載の携帯電話装置の設定サービスシステムによれば、ユーザが携帯電話装置について希望したモードの設定に関する情報が電気通信回線を介して処理装置に入力されると、処理装置は、前記モードの設定に対応するコマンドを含むデータを携帯電話装置に転送する。そして、携帯電話装置は、処理装置より転送されたデータを受信すると、予め記憶されている設定情報に基づいて、前記データに含まれているコマンドに対応するように自身のモードを設定する。
即ち、ユーザは、携帯電話装置のモード設定方法が分からない場合には、電気通信回線を介して処理装置にそのモード設定に関する情報を入力すれば、その変更を行うためのコマンドを含むデータが携帯電話装置に転送されて、モードが自動的に設定される。従って、ユーザは、モードを変更するために一々マニュアルを調べる必要はなく、どのような変更を行う場合でも所定の手順に従うことで所期の目的を達することができ、利便性が向上する。
【０００８】
請求項１記載の携帯電話装置の設定サービスシステムによれば、処理装置は、電気通信回線を介して携帯電話装置によるアクセスがあった場合にデータを転送するので、ユーザは、自身が希望する時にデータを受信して携帯電話装置のモード設定を行なうことができる。
【０００９】
請求項２記載の携帯電話装置の設定サービスシステムによれば、データは、モードの設定が完了したことをユーザに報知するデータを含むので、ユーザは、携帯電話装置がデータを受信した際に、モード設定が完了したことをその報知によって認識することができる。
【００１０】
請求項３記載の携帯電話装置の設定サービスシステムによれば、ユーザには、携帯電話装置がデータを受信した場合に、その時行われた設定の変更をユーザ自身で行うための手順が、例えば、画像，文字，音声などのデータによって示される。従って、ユーザは、同じようなモード設定を将来的に再度行う必要が生じた場合に、自身でその変更を行う手順を知ることができる。
【００１１】
請求項４記載の携帯電話装置の設定サービスシステムによれば、データは処理装置に所定期間保存され、処理装置は、データが前記所定期間内は利用可能であることをユーザに伝達するためのメッセージデータを携帯電話装置に対して転送する。従って、ユーザは、前記所定期間内に同様のモード設定を再度行なう必要が生じた場合に、処理装置にアクセスして保存されているデータを受信することで同様の設定を行なわせることが可能となる。
【００１２】
請求項５記載の携帯電話装置の設定サービスシステムによれば、処理装置には、モードの設定に関する情報の入力履歴が記録されており、携帯電話装置によってアクセスが行われると、処理装置は、各人カ履歴に対応するデータの内何れを転送するかをユーザに選択させるためのメッセージデータを携帯電話装置に転送する。そして、ユーザが、そのメッセージデータを参照して選択を行い、携帯電話装置によって選択情報を処理装置側に送信すると、選択情報に応じたデータが処理装置によって携帯電話装置に転送される。
【００１３】
即ち、ユーザが本発明のシステムを複数回利用した場合、処理装置には設定情報の入力履歴が記録保持され、ユーザは、それらの中から再度行ないたい設定に関するデータをメッセージデータに基づいて選択すれば、選択したデータが処理装置によって転送される。従って、データの再利用をより柔軟に行なうことができる。
【００１４】
請求項６記載の携帯電話装置の設定サービスシステムによれば、モードの設定に関する情報をアラーム設定に関するものとするので、例えば、携帯電話装置を目覚ましアラームなどに用いる場合に、そのアラーム発生時刻の設定を処理装置を介して行なうことが可能となる。
【００１６】
請求項７記載の携帯電話装置の設定サービスシステムによれば、モードの設定に関する情報は、電子メールによって処理装置に入力されるので、ユーザは、携帯電話装置の電子メール作成機能を用いて、自分が希望するモード設定を処理装置に転送することができる。
【００１８】
請求項９記載の携帯電話装置の設定サービス提供方法によれば、情報入力ステップにおいて、ユーザが携帯電話装置について希望したモードの設定に関する情報が電気通信回線を介して処理装置に入力される。すると、処理装置が、前記モードの設定に対応するコマンドを含むデータを携帯電話装置に転送し（転送ステップ）、携帯電話装置は、前記データを受信すると、予め記憶されている設定情報に基づきデータに含まれているコマンドに対応するように自身のモードを設定する（設定ステップ）。従って、請求項１と同様の効果が得られる。
【００１９】
請求項９記載の携帯電話装置の設定サービス提供方法によれば、処理装置は、転送ステップにおいて、電気通信回線を介して携帯電話装置によるアクセスがあった場合にデータを転送するので、請求項２と同様の効果を得ることができる。
【００２０】
請求項１０記載の携帯電話装置の設定サービス提供方法によれば、データ入力ステップにおいて、ユーザが携帯電話装置について希望したモードの設定に関する情報に基づいて作成される、前記モードの設定に対応するコマンドを含むデータが、識別情報と共に電気通信回線を介して処理装置に入力される。すると、処理装置は、前記モードの設定に対応するコマンドを含むデータを作成し（作成ステップ）、該処理装置に対するアクセスを許可するための許可情報が網側より携帯電話装置に転送される（許可情報転送ステップ）。
【００２１】
すると、携帯電話装置は、受信した許可情報を表示手段に表示させる（表示ステップ）。それから、携帯電話装置が予め記憶保持しているアクセス情報により処理装置にアクセスして識別情報を転送すると、処理装置は、転送された識別情報とデータ入力ステップにおいて入力された識別情報との照合を行い（照合ステップ）、その照合結果が一致すると、作成ステップで作成されたデータを携帯電話装置に転送する（データ転送ステップ）。そして、携帯電話装置が第２転送ステップで転送されたデータを受信すると、予め記憶されている設定情報に基づいて前記データに含まれているコマンドに対応するように自身のモードを設定する（設定ステップ）。
【００２２】
即ち、携帯電話装置は、処理装置へのアクセス情報を予め記憶しているので、例えば、携帯電話装置に、処理装置にアクセスを行うための１つの操作キーを割り当てておけば、その操作キーを操作するだけで、ユーザは自らアクセス情報を入力することなく処理装置にアクセスできるようになり、操作がより容易となる。また、この場合、複数のユーザが共通の処理装置にアクセスを行う場合も想定されるが、データにはユーザの識別情報が付加されているので、各ユーザは、夫々が希望する設定モードの変更を行うためのデータを、確実に受信することができる。
【００３１】
【発明の実施の形態】
（第１実施例）
以下、本発明の第１実施例について図１乃至図６を参照して説明する。図６は設定サービスシステム１の概略構成を示すものである。携帯電話装置２の内部には、ＷＷＷサーバ上に提供されているホームページにアクセスして必要なコンテンツのデータをダウンロードするためのアプリケーションソフトウエアであるブラウザ３が組み込まれて（インストールされて）おり、携帯電話装置２は、基地局４を介して管理センタ（例えば、プロバイダなど）５や、コールセンタ５０にアクセスする。
【００３２】
管理センタ５には、インターネット（電気通信回線）６を介してサーバ（処理装置）７が接続されており、そのサーバ７上において携帯電話装置２の設定サービスを行うためのサイトが提供されている。また、ＣＧＩ８はサーバ７に組み込まれており、携帯電話装置２などのクライアントによってサーバ７にアクセスが行われる場合に、そのアクセスを制御するためのインターフェイスソフトウエアである。
【００３３】
また、コールセンタ５０は、携帯電話装置２のユーザが通話してモード設定などに関する問い合わせを行う場合に応対するオペレータが常駐している。そして、コールセンタ５０にも、インターネット６を介してサーバ７が接続されており、オペレータは、設定サービスを行うために必要なデータをサーバ７上にアップロードするようになっている。尚、基地局４以降が、携帯電話装置２に対する網側の構成である。
【００３４】
図５は、携帯電話装置２の内部における電気的構成を示す機能ブロック図である。図５において、携帯電話装置２は、マイクロコンピュータなどからなる制御回路９を中心として構成されている。制御回路９には、操作キー１０からの操作信号が与えられるようになっている。また、制御回路９は、ＬＣＤ（表示手段）１１における表示を制御するようになっている。送話用のマイク１２に入力された音声信号は、音声処理部１３によりＡ／Ｄ変換されると、データ変換部１４により例えばπ／４シフトＤＱＰＳＫ(Differential Quadrature Phase Shift Keying)信号に変換される。
【００３５】
ＤＱＰＳＫ信号は、送受信部１５において例えば８００ＭＨｚ帯の搬送波信号によって直交変調され、アンテナ１６から電波信号として外部に送信されるようになっている。一方、アンテナ１６が電波信号を受信すると、受信信号は上記と逆の経路で復調されＤ／Ａ変換されて、受話用のスピーカ１７より音声信号として出力される。
【００３６】
制御回路９は、音声処理部１３，データ変換部１４，送受信部１５の制御を行うようになっている。また、制御回路９には、ＲＯＭ，ＲＡＭやＥＥＰＲＯＭなどからなる記憶部１８が接続されており、制御回路９は、必要に応じて記憶部１８に対するデータの書込みや読出しを行うようになっている。
【００３７】
音源ＩＣ１９は、着信用のメロディー等を発生させるためのＩＣであり、制御回路９より与えられるデータに応じた楽音を、音源用スピーカ２０を介して出力するようになっている。
【００３８】
また、携帯電話装置２は、音声データの送受信による通話の他にデータ通信も可能に構成されており、設定サービスシステム１においてデータ通信を行うようになっている。尚、ブラウザ３は、携帯電話装置２の記憶部１８に記憶されており、制御回路９により読み出されて実行される。また、記憶部１８には、携帯電話装置２の設定変更用データが記憶されている。この設定変更用データは、携帯電話装置２の通常の使用形態では用いられることはなく、後述する特定のケースにおいて用いられるデータである。
【００３９】
次に、本実施例の作用について図１乃至図４をも参照して説明する。図１は、設定サービスシステム１をユーザが利用する場合の手順を概念的に示す図である。
▲１▼＜設定方法の問い合わせ＞
先ず、クライアント側であるユーザは、携帯電話装置２の設定モードを変更をしたいが、そのための操作が分からない場合には、携帯電話装置２によってコールセンタ５０に通話を行う。そして、応対したオペレータに、どのように設定モードを変更をしたいかを口頭で伝える。例えば、ユーザが携帯電話装置２をマナーモードに設定したが着信音が鳴るように設定を戻すための操作が分からない、といった場合には、オペレータに、「着信音が鳴るように設定したい」旨を伝える。
【００４０】
▲２▼＜コンテンツのアップロード＞
ユーザより希望する設定の変更を聞いたオペレータは、携帯電話装置２にその設定変更を行わせるための特殊コマンドを含んだコンテンツを作成し、サーバ７上にアップロードする（データ入力ステップ）。ここで、コンテンツは、例えば画像データを含んでおり、その画像データは、例えばＧＩＦ(Graphics Interchange Format) 形式，ＪＰＥＧ(Joint Photographic Experts Group)形式などで、各種の設定変更の項目に対応するものが予め作成されている。
【００４１】
そして、オペレータは、コンテンツ作成プログラムによってユーザが希望した設定変更の項目「着信音ＯＮ」を選択すると、その設定変更に対応する特殊コマンドが埋め込まれている画像データが選択されてコンテンツが作成される。すると、作成されたコンテンツは、例えばＦＴＰ(File Transfer Protcol) などのプロトコルによってサーバ７上にアップロードされる。尚、このプロセスに要する時間は数秒程度である。
【００４２】
＜▲３▼指定ＵＲＬの通知＞
サーバ７へのコンテンツのアップロードが完了すると、オペレータは、ユーザにサーバ７のＵＲＬ（ホームページアドレス，アクセス情報）を口頭で通知する。例えば、「一旦通話を切ってから、ｗｗｗ．ａｂｃ．ｃｏ．ｊｐにアクセスして下さい」のように通知を行う。
【００４３】
＜▲４▼サーバへのアクセス＞
オペレータよりサーバ７のＵＲＬを通知されたユーザは、コールセンタ５０との通話を終了すると携帯電話装置２のブラウザ３を起動し、管理センタ５に発信してインターネット６に接続を行う。そして、ユーザはブラウザ３にサーバ７のＵＲＬを入力してアクセスを行う。
【００４４】
＜▲５▼コンテンツのダウンロード＞
ユーザが携帯電話装置２によってサーバ７にアクセスを行うと、サーバ７側より、特殊コマンドを含んだ画像データがダウンロードされる（転送ステップ）。すると、携帯電話装置２は、画像データ中に含まれている特殊コマンドを認識して、設定モードを、着信音：ＯＦＦ／マナーモード：ＯＮから、着信音：ＯＮ／マナーモード：ＯＦＦに切り換える（設定ステップ）。
【００４５】
ここで、▲４▼，▲５▼のプロセスの詳細について、図２乃至図４をも参照して説明する。図２は、携帯電話装置２がサーバ７にアクセスして、コンテンツデータをダウンロードする場合におけるシーケンスの概略一例を示すものであり、ＴＣＰ／ＩＰ(Transmission Control Protocol/Internet Protocol) 上で実行される手順である。また、図３は、携帯電話装置２の制御回路９がブラウザ３を起動して実行する場合のフローチャートである。
【００４６】
先ず、携帯電話装置２側のブラウザ３は、ユーザの操作によってサーバ７のＵＲＬが指定されると（ステップＡ１，「ＹＥＳ」）、そのページ（Ａ）の要求をサーバ側に送信する（ステップＡ２，図２▲１▼）。そして、サーバ７側のＣＧＩ８は、携帯電話装置２によって要求されたページ（Ａ）のＨＴＭＬ(Hyper Text Makeup Language)ソースファイル（コンテンツ）を携帯電話装置２側にダウンロードさせる（図２▲２▼）。
【００４７】
すると、携帯電話装置２の記憶部１８内にあるＲＡＭには、ページ（Ａ）のＨＴＭＬソースファイルがダウンロードされる（ステップＡ３，Ａ４）。続いて、ブラウザ３はＨＴＭＬソースファイルのコードを解析し、表示可能な部品の画像データをＬＣＤ１１に出力する（ステップＡ５）。また、ソースファイル中に例えば写真等の画像情報が存在する場合には（ステップＡ６，「ＹＥＳ」）、サーバ７に対してその画像を要求し（図２▲３▼）画像データをダウンロードする（ステップＡ７，図２▲４▼）。
【００４８】
ここで、図４に示すように、ダウンロードされる画像データ（ＩＰデータグラム）のヘッダフィールドには、オプションで使用できる領域に特殊コマンドが記述されている。即ち、前述したように、着信音：ＯＮの設定変更に対応するコマンドである。
【００４９】
次に、ブラウザ３は、ダウンロードした画像データをＬＣＤ１１の画面に追加表示すると共に、そのデータのヘッダフィールドを参照して、前記特殊コマンドが記述されているか否かを判断する（ステップＡ８）。特殊コマンドが記述されていなければ、ブラウザ３はステップＡ８で「ＮＯ」と判断し、ステップＡ１に戻る。
【００５０】
一方、ステップＡ８において、画像データのヘッダフィールドに特殊コマンドが記述されている場合、ブラウザ３は「ＹＥＳ」と判断して、記憶部１８より設定変更用のデータを読み出す（ステップＡ９）。そして、そのデータに基づいて設定を変更する（ステップＡ１０，図２▲５▼）。ステップＡ１０の実行後は、ステップＡ１に戻る。
【００５１】
また、ステップＡ７でダウンロードされた画像データは、ＬＣＤ１１に表示されるが、その画像データには、携帯電話装置２の設定変更が完了したことを示す文字や画像が含まれており（例えば、「着信音の設定がＯＮに変更されました」の文字表示など）、ユーザは、ＬＣＤ１１の表示を参照することで所望の設定変更が行われたことを知ることができる。また、その画像データには、着信音：ＯＮの設定変更をユーザ自身で行うための手順を示す画像や，文字なども含まれている。
【００５２】
以上のように本実施例によれば、ユーザがコールセンタ５０のオペレータと通話を行い希望する設定モードの変更を伝達すると、オペレータは、その変更に対応する特殊コマンドを含むコンテンツを作成し、インターネット５を介してサーバ７にアップロードする。そして、サーバ７は、携帯電話装置２が自身にアクセスを行うと、前記モードの設定に対応するコマンドを含むコンテンツを携帯電話装置２に転送し、携帯電話装置２は、サーバ７より転送されたコンテンツを受信（ダウンロード）すると、予め記憶されている設定情報に基づいて、前記コンテンツに含まれているコマンドに対応するように自身のモードを設定する。
【００５３】
即ち、ユーザは、携帯電話装置２の設定モードの変更方法が分からない場合は、オペレータに問い合わせを行い、連絡されたＵＲＬのサーバ７にアクセスするだけで、その変更を行うためのコマンドが網側より携帯電話装置２に転送されて設定モードが自動的に変更される。従って、ユーザは、設定モードを変更するために一々マニュアルを調べる必要はなく、どのような変更を行う場合でも所定の手順に従うことで所期の目的を達することができ、利便性が向上する。
【００５４】
また、ユーザは、希望する設定モードの変更に関する情報をオペレータに対して詳細に伝えることができ、オペレータの判断によってユーザの希望を把握することが可能となる。従って、ユーザの要求により柔軟に対応することができる。
【００５５】
加えて、本実施例によれば、コンテンツに、設定モードの変更が完了したことをユーザに報知する画像データ等を含むので、ユーザは、設定モードの変更が完了したことをその報知によって認識することができる。また、画像データには、着信音：ＯＮの設定変更をユーザ自身で行うための手順を示す画像や，文字なども含まれているので、ユーザは、同じような設定モードの変更を将来的に再度行う必要が生じた場合に、自身でその変更を行う手順を知ることができる。
【００５６】
（第２実施例）
図７は本発明の第２実施例を示すものであり、第１実施例と同一部分には同一符号を付して説明を省略し、以下異なる部分についてのみ説明する。第２実施例の設定サービスシステム２１では、携帯電話装置２側にサーバ７のＵＲＬが予め登録されており、操作キー１０には、例えば専用，若しくは他の機能と兼用のアクセスキーが設けられている。そして、携帯電話装置２がインターネット６に接続されている場合に、そのアクセスキーをＯＮ操作するだけで、サーバ７にアクセスが行われるようになっている。
【００５７】
また、第２実施例では、コールセンタ５０のオペレータは、プロセス▲２▼においてコンテンツのアップロードを行う場合、そのコンテンツにユーザＩＤを付加する（データ入力ステップ）。ユーザＩＤは、各携帯電話装置の１台ずつ毎に事業者が付加する番号であり（例えば、ABCD0123@DENSO.COMなど）、発信時には、着信側に発番号と共に通知されるようになっている。尚、コンテンツにユーザＩＤを付加する際には、コンテンツのファイル名にユーザＩＤを直接付加するようにしても良い。
【００５８】
そして、プロセス▲３▼では、オペレータはユーザにサーバ７のＵＲＬを通知する必要は無く、コンテンツのアップロードが完了した時点で単にサーバ７へのアクセス許可を通知する。例えば、「一旦通話を切ってから、アクセスキーを操作して下さい」のように通知を行う（許可情報送信ステップ）。この通知は、携帯電話装置２のＬＣＤ１１に表示されることで、ユーザに通知される（表示ステップ）。
【００５９】
一方、サーバ７側では、ＣＧＩ８がアップロードされたコンテンツに含まれているユーザＩＤを抽出して、プロセス▲４▼において（照合ステップ）、そのユーザＩＤを有する携帯電話装置２からアクセスがあった場合には、当該コンテンツのダウンロード▲５▼（データ転送ステップ）を許可するようにする。その他の処理については第１実施例と同様である。
【００６０】
以上のように第２実施例によれば、コールセンタ５０のオペレータは、コンテンツにユーザＩＤを付加してサーバ７にアップロードし、ユーザは、オペレータよりサーバ７へのアクセス許可が通知されると、アクセスキーを操作し、携帯電話装置２によってサーバ７へのアクセスを行いコンテンツをダウンロードする。
【００６１】
従って、ユーザは、アクセスキーを操作するだけで、自らサーバ７のＵＲＬを入力することなくアクセスできるようになり、操作がより容易となる。また、複数のユーザが共通のサーバ７にアクセスを行うことになるが、コンテンツにはユーザＩＤが付加されているので、各ユーザは、夫々が希望する設定モードの変更を行うためのコンテンツを、確実にダウンロードすることができる。
【００６２】
（第３実施例）
図８乃至図１０は本発明の第３実施例を示すものであり、第１実施例と同一部分には同一符号を付して説明を省略し、以下異なる部分についてのみ説明する。第３実施例の設定サービスシステム２２では、コールセンタ５０は設けられておらず、ユーザは、携帯電話装置２によってサーバ７に代わるサーバ２３に直接アクセスを行うようになっている。すると、サーバ２３のＣＧＩ２４が起動し、ユーザは、携帯電話装置２のＬＣＤ１１にダウンロードされる画面の指示に応じて希望する設定の変更を指定するようになっている。この場合、ＨＴＭＬ形式の設定変更入力用フォームをサーバ２３から携帯電話装置２にダウンロードさせて、ユーザにその入力用フォームに応じて希望する設定の変更を入力指定させても良い。
【００６３】
図９は、携帯電話装置２とサーバ２３との間の送受信シーケンスであり、図１０は、携帯電話装置２のブラウザ３による処理内容を示すフローチャートである。図１０において、ステップＡ１〜Ａ７は第１実施例と同様に行われる。即ち、ユーザは、サーバ２３のＵＲＬを入力して指定し（図９▲１▼）、サーバ２３側のＣＧＩ２４は、携帯電話装置２によって要求されたページ（Ａ）のＨＴＭＬソースファイルを携帯電話装置２側にダウンロードさせる（図９▲２▼）。この場合、サーバ２３のＵＲＬは、設定サービスの提供を行うために用意されているサーバの情報として予めユーザに公開されている。
【００６４】
ブラウザ３は、ファイル中に画像情報が存在する場合には（ステップＡ６，  「ＹＥＳ」）、サーバ７に対してその画像を要求し（図９▲３▼）画像データをダウンロードする（ステップＡ７，図９▲４▼）。この時、携帯電話装置２のＬＣＤ１１には、ユーザが変更を希望する設定項目を入力するための欄が用意された画面が表示されており、ユーザは、その画面の入力欄に従って、変更を希望する設定項目を入力する（ステップＡ１１，「ＹＥＳ」）。
【００６５】
すると、ブラウザ３は、ユーザによって入力された設定項目データをサーバ２３に送信する（ステップＡ１２，図９▲５▼：情報入力ステップ）。サーバ２３は、携帯電話装置２より送信された設定項目データに対応する特殊コマンドを含んだ画像データを携帯電話装置２にダウンロードさせる（ステップＡ１３，図９▲６▼：データ転送ステップ）。以降は、第１実施例と同様にステップＡ８〜Ａ１０が実行され、ブラウザ３がダウンロードされた画像データに含まれている特殊コマンドを認識し、携帯電話装置２の設定変更を行わせる（設定ステップ）。
【００６６】
以上のように第３実施例によれば、ユーザがサーバ２３へのアクセスを行い、サーバ２３に対して希望する設定の変更を指定すると、サーバ２３は、ＣＧＩ２４が設定の変更に対応するコマンドを含むコンテンツを選択するので、オペレータが介在しないようにしてシステムを自動化し、低コストで構成することができる。
【００６７】
（第４実施例）
図１１及び図１２は本発明の第４実施例を示すものである。第４実施例は、第１または第２実施例のプロセス▲５▼（図３に示すフローチャートのステップＡ７），或いは、第３実施例のプロセス▲６▼において、サーバ７よりダウンロードしてＬＣＤ１１に表示される画像データの具体例を示すものである。
【００６８】
例えば、図１１は、画像データをダウンロードした結果、コマンドにより携帯電話装置２の着信音の設定をＯＦＦにした場合であり、ＬＣＤ１１には、「着信音量消音設定完了です」といったメッセージが表示される。
また、図１２は、図１１のメッセージと共に、ユーザ自身が携帯電話装置２の操作キー１０を操作して着信音量の消音設定を行うための情報を表示する例であり、「あなたの携帯電話でＦボタン押下後、１ボタンでも消音できます」といったメッセージが表示される。
【００６９】
（第５実施例）
図１３乃至図１６は本発明の第５実施例を示すものである。第５実施例では、サーバ７は、携帯電話装置２側よりモード設定要求があった場合に、図１３に示す▲６▼で携帯電話装置２に転送した画像データを、携帯電話装置２のユーザのページ（サーバ７上の所定記憶領域）に記憶保存させる（▲７▼）。例えば、携帯電話装置２のユーザ名が“ａｚｕｍａ”であれば、ＵＲＬが
“ｈｔｔｐ：／／ｗｗｗ．ａｂｃ．ｃｏ．ｊｐ／＿ａｚｕｍａ”
となるページを生成して保存する。
【００７０】
そして、▲６▼で携帯電話装置２に転送する画像データには、図１４に示すように、「この設定画像はあなたの設定ページに２か月間保存されています。」といったメッセージを付加しておく（メッセージ表示ステップ）。また、図１５は、上記設定ページのアクセス情報をより詳細に示すと共に、第４実施例の図１２のような、ユーザ自身が携帯電話装置２を操作して着信音量の消音設定を行うための情報を、より詳細に表示する例である。この場合、ＬＣＤ１１のサイズの関係で、全てのメッセージを一画面で表示することができない場合には、ユーザの操作キー１０の操作に応じてスクロール表示させる。
【００７１】
その後、ユーザが携帯電話装置２によってサーバ７の個人設定ページにアクセスを行った際に、図１３に示す▲４▼でダウンロードされる画像データは、図１６に示すものになる（選択データ転送ステップ）。即ち、既に行なった設定として、例えば、“着信音パターン”，“着信音量消音”，“留守番電話ＯＮ”，“メモリダイヤル消去”などの項目があり、ユーザは、操作キー１０を操作して再度設定を行ないたい項目のチェックボックスにチェックを行なってから“送信”をクリックする。また、これらの項目は、ユーザがモード設定要求をサーバ７に入力した入力履歴である。
【００７２】
すると、そのデータが▲５▼においてサーバ７側に送信され、サーバ７は、選択された項目に対応する画像データを▲６▼で携帯電話装置２側に転送する（再転送ステップ）。尚、図１６に示す画面の“リセット”をクリックすると、個人設定ページのデータはサーバ７において消去される。
【００７３】
また、上記のように、過去に行なった設定を再度実行するのではなく、新たな設定を行ないたい場合には、第３実施例と同様に、サーバ７のＵＲＬ“ｈｔｔｐ：／／ｗｗｗ．ａｂｃ．ｃｏ．ｊｐ”にアクセスすれば良い。
【００７４】
以上のように第５実施例によれば、特殊コマンドを含む画像データ（コンテンツ）はサーバ７に所定期間保存され、サーバ７は、そのコンテンツが所定期間内は利用可能であることをユーザに伝達するためのメッセージを携帯電話装置２に対して転送する。従って、ユーザは、所定期間内に同様のモード設定を再度行なう必要が生じた場合に、サーバ７にアクセスして保存されているコンテンツを受信する（サーバ７が再転送する）ことで同様の設定を行なわせることが可能となる。
【００７５】
また、サーバ７には、モードの設定に関する情報の入力履歴が記録されており、携帯電話装置２によってアクセスが行われると、サーバ７は、各入力履歴に対応するコンテンツの内何れを転送するかをユーザに選択させるためのメッセージデータを携帯電話装置２に転送し、ユーザが、そのメッセージデータに基づいて選択したコンテンツが携帯電話装置２に転送される。従って、ユーザは、コンテンツの再利用をより柔軟に行なうことができる。
【００７６】
（第６実施例）
図１７及び図１８は本発明の第６実施例を示すものである。第６実施例は、図１７に示すように、携帯電話装置２と基地局４の内部に設置されている処理装置（コンピュータを中心として構成されている）２５との間における通信に基づいて処理が行われる。この場合、携帯電話装置２と基地局４との間における通信回線が電気通信回線に相当する。
【００７７】
そして、携帯電話装置２のユーザは、基地局４の処理装置２５を介して携帯電話装置２のアラーム設定を行なう。即ち、処理装置２５は、網側のサービスセンタとして配置されており、アラーム設定用のサービスダイヤルを発呼すると処理装置２５との通話回線が接続されるようになっている。
【００７８】
次に、第６実施例の作用について図１８をも参照して説明する。先ず、ユーザは、携帯電話装置２により前記サービスダイヤルを発呼する（▲１▼）。すると、基地局４の処理装置２５は、「アラーム時刻を４桁でダイヤルして下さい。」といったメッセージの音声を合成して携帯電話装置２側に送話する（▲２▼）。
【００７９】
そして、ユーザは、処理装置２５のメッセージを受けて、例えば「０７００」をダイヤルする（操作キー１０のテンキーをプッシュする，▲３▼，情報入力ステップ）。すると、そのダイヤル情報はＤＴＭＦ信号として通話回線で送信され、処理装置２５側に受信される。処理装置２５は、受信したＤＴＭＦ信号を解析して設定すべきアラーム時刻を判別し（この場合、午前７時）、「翌朝７時で受け付けました。」といったメッセージの音声を合成して携帯電話装置２側に送話する（▲４▼）。ユーザは、そのメッセージによってアラーム設定が希望通りに受け付けられたことを確認すると通話回線を切断する（▲５▼）。
【００８０】
それから、処理装置２５は、着信番号等から携帯電話装置２を判別し、▲３▼で入力されたアラーム設定時刻を携帯電話装置２にセットさせるためのコマンドを含むメールデータを作成する（▲６▼）。そして、作成したメールを携帯電話装置２に送信する（▲７▼，転送ステップ）。
【００８１】
携帯電話装置２の制御回路９は、処理装置２５より送信されたメールを受信すると、そのメールに記述されているアラーム設定コマンドに基づいてアラーム設定を行なう（▲８▼，設定ステップ）。そして、内部のＲＴＣ（Real Time Clock ，図示せず）で計時している時刻がアラーム設定時刻になると、制御回路９は、アラーム音を発生させてアラーム動作を行なう（▲９▼）。尚、この場合、携帯電話装置２側で予めマナーモードが設定されていても、設定時刻にはアラームが発生するようなる。また、設定されたアラームのキャンセルが携帯電話装置２でできることは勿論である。
【００８２】
以上のように第６実施例によれば、ユーザは、携帯電話装置２により基地局４の処理装置２５と通話回線を接続し、処理装置２５の指示メッセージに基づき操作キー１０のテンキーをプッシュすることでアラーム時刻の設定情報をＤＴＭＦ信号で処理装置２５に送信すると、処理装置２５は、送信されたアラーム時刻セット用のコマンドを含むメールデータを作成して携帯電話装置２に送信する。そして、携帯電話装置２の制御回路９は、送信されたメールを受信すると、そのメールに記述されているアラーム設定コマンドに基づいてアラーム設定を行なうようにした。
【００８３】
従って、ユーザは、携帯電話装置２を目覚ましアラームなどに用いる場合に、そのアラーム発生時刻の設定を処理装置２５を介して行なうことが可能となる。そして、ユーザは、携帯電話装置２のテンキーをオン操作することで、アラーム発生時刻の設定を容易に行なうことができる。
【００８４】
本発明は上記し且つ図面に記載した実施例にのみ限定されるものではなく、次のような変形または拡張が可能である。
携帯電話装置にダウンロードされる画像データに含まれる、設定変更が完了したことを報知するための文字や画像のデータ、また、その設定変更をユーザ自身で行うための手順を示す画像や文字のデータなどは、何れか一方のみを含むようにしても良い。或いは、これらとは全く関連のない画像データであっても良い。また、文字や画像のデータに限らず、音，音声，メロディー，ファイル，ストリーミング等のデータでも良い。
第１実施例において、ユーザがオペレータと直接通話して希望する設定モードの変更を口頭で伝達するものに代えて、携帯電話装置側に電子メール送受信用のソフトウエア（メーラー）を搭載しておき、希望する設定モードの変更を記述した電子メールを作成し、その電子メールをオペレータ側に送信することで伝達しても良い。また、オペレータが、サーバのアクセス情報をユーザに連絡する場合にも、電子メールを送信して行っても良い。
第１乃至第３実施例で行った設定モードの変更を、パーソナルコンピュータを用いて行っても良い。
第６実施例におけるアラーム設定を、第１乃至第３実施例等と同様に、サーバ７を介して行なっても良い。
【図面の簡単な説明】
【図１】本発明の第１実施例であり、設定サービスシステムをユーザが利用する場合の手順を概念的に示す図
【図２】携帯電話装置がサーバにアクセスして、コンテンツデータをダウンロードする場合におけるシーケンスの概略一例を示す図
【図３】携帯電話装置の制御回路がブラウザを起動して実行する場合のフローチャート
【図４】ＩＰデータグラムを示す図
【図５】携帯電話装置の内部における電気的構成を示す機能ブロック図
【図６】設定サービスシステムの概略構成を示す図
【図７】本発明の第２実施例を示す図１相当図
【図８】本発明の第３実施例を示す図６相当図
【図９】図２相当図
【図１０】図３相当図
【図１１】本発明の第４実施例であり、携帯電話装置におけるＬＣＤ画面の表示例を示す図（その１）
【図１２】図１１相当図（その２）
【図１３】本発明の第５実施例を示す図９相当図
【図１４】図１１相当図（その１）
【図１５】図１１相当図（その２）
【図１６】ユーザが携帯電話装置によってサーバの個人設定ページにアクセスした場合の図１１相当図
【図１７】本発明の第６実施例を示す図８相当図
【図１８】図９相当図
【符号の説明】
１は設定サービスシステム、２は携帯電話装置、５はインターネット（電気通信回線）、７はサーバ（処理装置）、１１はＬＣＤ（表示手段）、２１及び２２は設定サービスシステム、２３はサーバ、２５は処理装置、５０はコールセンタを示す。
【図１】
0003714183.tif 000002
【図２】
0003714183.tif 000003
【図３】
0003714183.tif 000004
【図４】
0003714183.tif 000005
【図５】
0003714183.tif 000006
【図６】
0003714183.tif 000007
【図７】
0003714183.tif 000008
【図８】
0003714183.tif 000009
【図９】
0003714183.tif 000010
【図１０】
0003714183.tif 000011
【図１１】
0003714183.tif 000012
【図１２】
0003714183.tif 000013
【図１３】
0003714183.tif 000014
【図１４】
0003714183.tif 000015
【図１５】
0003714183.tif 000016
【図１６】
0003714183.tif 000017
【図１７】
0003714183.tif 000018
【図１８】
0003714183.tif 000019